(57)【要約】【課題】  日常使われているグレゴリオ暦ではなく、中米のマヤ・アステカ文明で使われていた伝承の暦であるマヤ暦を意識した生活や行動が行えるようにする。【解決手段】  マヤ暦は、「銀河の音」という１３の数字と「太陽の紋章」という２０のマークを組み合わせた２６０日周期のツォルキン暦を組み込んだものであり、これら「銀河の音」と「太陽の紋章」との組合せを順次表示し、或いは更に１３月と１〜２８日をも表示する時計とすることで、日常生活において常時、容易にマヤ暦を視認させる。【選択図】  図３
2009281953.tif 000002
【特許請求の範囲】
【請求項１】
少なくともマヤ暦が表示される時計。
【請求項２】
更にグレゴリオ暦が表示される、請求項１記載の時計。
【請求項３】
マヤ暦における銀河の音と太陽の紋章が表示される、請求項１または請求項２記載の時計。
【請求項４】
マヤ暦における銀河の音と太陽の紋章と１３月と１〜２８日の日付が表示される、請求項１または請求項２記載の時計。
【発明の詳細な説明】
【技術分野】
【０００１】
本発明は、マヤ暦を表示する時計に関する。
【背景技術】
【０００２】
現代社会ではグレゴリオ暦が使用されており、グレゴリオ暦は地球が太陽の周りを３６５日かけて回ることに起因し、これを１年として１２カ月に分割したものであり、また一周の３６０度を１２等分すると３０度となり、ここから１ヶ月を基本的に３０日程度とすることになっている。
【発明の開示】
【発明が解決しようとする課題】
【０００３】
グレゴリオ暦は、前述したように幾何学上の理論に立脚したものであり、現代人はこれに基づいて日常生活や仕事を行っているが、このグレゴリオ暦は、自然のリズムに調和した性質のものではないため、現代人が自然と剥離した形で行動する要因になっているとも言われている。また、グレゴリオ暦では、１ヶ月は前述したように、基本的には３０日であるが、実際には３１日の月や２８日或いは２９日の月も存在する等、非常に不規則なものなっている。
【０００４】
グレゴリオ暦が、前述したように、自然のリズムに調和したものでないことから、より調和した暦にしたがって生活したいと望む人も多く、こうした状況の中で近年注目されているのがマヤ暦である。マヤ暦は、１年で、地球が太陽の周りを一周し、月が地球の周りを１３周することから、この太陽と月の周期をもとに作られたものである。マヤ暦は、より具体的には、１年を１３ヶ月で構成し、一ヶ月は２８日で構成され、これに時間をはずした日の一日を加えて１年が３６５日となっている。また、マヤ暦は、２６０日周期のツォルキン暦が組み込まれたものであり、ツォルキン暦とは１３の数字「銀河の音」と２０の「太陽の紋章」（マーク）の組み合わせで構成されているものである。そして、このマヤ暦（１３の月の暦）は、太陽と月と地球のリズムに対応したものであり、自然のリズムに同調したものと言える。因みに、潮の満ち引きや月の姿、海風と山風との関係、或いは女性の性周期等もこのマヤ暦に対応したものである。
【０００５】
しかしながら、現代社会は、前述したように、グレゴリオ暦を採用しているために、我々が普段身に着けている時計もグレゴリオ暦で表示されており、自然のリズムにより同調したマヤ暦にしたがって行動しようとしても、グレゴリオ暦に基づいた行動を余儀なくされるのが実情である。
【０００６】
本発明は、前述したような実情に鑑みてなされたものであり、その目的は、マヤ暦を表示する時計を提供することにある。
【課題を解決するための手段】
【０００７】
請求項１記載の本発明は、少なくともマヤ暦が表示される時計である。
【０００８】
請求項２記載の本発明は、前記請求項１記載の時計について、更にグレゴリオ暦が表示されるものである。
【０００９】
請求項３記載の本発明は、前記請求項１または請求項２記載の時計について、マヤ暦における銀河の音と太陽の紋章が表示されることを特徴とするものである。
【００１０】
請求項４記載の本発明は、前記請求項１または請求項２記載の時計について、マヤ暦における銀河の音と太陽の紋章と１３月と１〜２８日の日付が表示されることを特徴とするものである。
【００１１】
なお、前述したいずれの本発明においても、時刻表示がされるものと、されないものの両方が含まれる。
【発明の効果】
【００１２】
現在、世界的に広く使われているグレゴリオ暦は、前述した通り、幾何学的法則に基づいて完成されたものである。
【００１３】
これに対して、マヤ暦は前述した通り、潮の満ち引きや月の姿、海風と山風の関係、そして女性の性周期と一致するものであり、自然のリズムに合致したものである。そのため、現代社会において、このマヤ暦を意識した生活をしたいと望む人々が存在する。しかしながら、マヤ暦は後述する通り、２６０周期のツォルキン暦を組み込んだ複雑なものであり、これを自分の頭の中で整理して認識することは容易ではない。そこで、本発明のマヤ暦を表示する時計によれば、常時、容易にマヤ暦を意識しながら生活することができ、またこれが自然のリズムに調和した生活につながるという格別の利点が得られる。
【発明を実施するための最良の形態】
【００１４】
次に、本発明の実施形態を図面にしたがって説明するが、本発明はかかる実施形態に限定されるものではない。
【００１５】
先ず、マヤ暦の概要について説明すると、マヤ暦とは中米のマヤ・アステカ文明で知られるマヤの民が古代から使用している伝承の暦であり、前述した通り、太陽と地球と月の周期をもとに作られたものである。そして、マヤ暦は、前述した通り、１年が１３ヶ月で構成され、各月は２８日あり、合計すると３６４日となり、これに「時間をはずした日」を加えて１年はグレゴリオ暦と同様に３６５日となる。
【００１６】
また、マヤ暦は、後述する２６０日周期のツォルキン暦が組み込まれたものである。すなわち、ツォルキン暦は、１３の「銀河の音」という数字と２０の「太陽の紋章」というマークの組合せで構成され、１３×２０＝２６０日で一巡する。図１に示すように、「銀河の音」は、１＝磁気の、２＝「月の」、３＝「電気の」、４＝「自己存在の」、５＝「倍音の」、６＝「律動の」、７＝「共振の」、８＝「銀河の」、９＝「太陽の」、１０＝「惑星の」、１１＝「スペクトルの」、１２＝「水晶の」、１３＝「宇宙の」というもので構成されており、「太陽の紋章」は、図２に示すように、１＝「赤い竜」、２＝「白い風」、３＝「青い夜」、４＝「黄色い種」、５＝「赤い蛇」、６＝「白い世界の橋渡し」、７＝「青い手」、８＝「黄色い星」、９＝「赤い月」、１０＝「白い犬」、１１＝「青い猿」、１２＝「黄色い人」、１３＝「赤い空歩く者」、１４＝「白い魔法使い」、１５＝「青い鷲」、１６＝「黄色い戦士」、１７＝「赤い地球」、１８＝「白い鏡」、１９＝青い嵐、２０＝「黄色い太陽」というもので構成され、それぞれ図２に示すような特定の紋章が付されている。また、１３の月は、前記「銀河の音」の数字と対応して、１月が「磁気の月」、２月が「月の月」、３月が「電気の月」、４月が「自己存在の月」、５月が「倍音の月」、６月が「律動の月」、７月が「共振の月」、８月が「銀河の月」、９月が「太陽の月」、１０月が「惑星の月」、１１月が「スペクトルの月」、１２月が「水晶の月」、１３月が「宇宙の月」となっており、１ヶ月は前述したように、２８日で構成されているため、２８日経過ごとに月が前述の順序で移り変わることとなる。
【００１７】
次に、前述したマヤ暦を表示する時計の各実施形態について説明するが、各実施形態における時計の種類は任意であり、腕時計、掛時計および置時計等として実施される。
【００１８】
（実施形態１）
【００１９】
本実施形態はアナログ時計の場合であり、図３に示すように、１は時計の文字盤であって、通常の時計と同様、中央に短針２と長針３があり、その周りには「１」〜「１２」の数字が付されている。また、文字盤１の左寄り下部にはグレゴリオ暦の日付を表示するグレゴリオ暦表示窓４が設けられ、グレゴリオ暦表示窓４の右側にはツォルキン暦表示窓５が設けられている。ツォルキン暦表示窓５は、左側部に「銀河の音」の数字記号６が表示され、同中央部には「太陽の紋章」のマーク７が表示され、同右側部には「太陽の紋章」の名称８が表示されている。
【００２０】
更に、文字盤１の最外周部９には、マヤ暦の１３月の名称と「時間をはずした日」が表示され、またその内周部１１には「１」〜「２８」の日付が表示されている。そして、この内周部１１の頂部には矢印１２が設けられ、該矢印１２は日付が変わるごとに一日ずつ内周部１１上を移動する構造となされている。また、最外周部９には図４に示すように、リング状のカバー部材１３が嵌め被せられ、該カバー部材１３には円弧状窓１４が形成されており、該円弧状窓１４には前記１３月が個別に表示されるようになっている。すなわち、リング状のカバー部材１３が約２８度ずつ回動することで円弧状窓１４に１３月が順次表示されるようになされており、この１３月の変更は内周部１１における「１」〜「２８」の日付の周期に連動して行われる構造となされている。
【００２１】
本実施形態の時計によれば、中央の短針２と長針３とによって、通常の時刻が表示されると共にグレゴリオ暦表示窓４によって、通常の日付が表示され、更に、最外周部９の円弧状窓１４でマヤ暦の月が表示され、その内周部１１における矢印１２によってマヤ暦の日付が表示され、またツォルキン暦表示窓５によって、「銀河の音」の数字記号６と「太陽の紋章」のマーク７および名称８が表示される。そのため、当該時計の使用者は、通常のグレゴリオ暦の他、マヤ暦をも見ることができる。
【００２２】
（実施形態２）
【００２３】
本実施形態も実施形態１と同様、アナログ時計の場合であり、通常のアナログ時計と同様、文字盤２１の外周部２９には「１」〜「１２」の数字が付され、短針２と長針３とを有している。また、文字盤２１の左側下部寄り部分にはグレゴリオ暦の表示窓２４が設けられ、その右側にはツォルキン暦における「銀河の音」の数字記号６を表す表示窓２６と「太陽の紋章」のマーク７を表す表示窓２７が設けられている。更に、本実施形態では、右側上部寄り部分にマヤ暦における月２５を示す表示窓２８と日付３１を示す表示窓３２が設けられている。
【００２４】
本実施形態の時計によれば、通常のアナログ時計と同様、時刻と通常のグレゴリオ暦の他、マヤ暦における１３月とその日付、並びに「銀河の音」および「太陽の紋章」を知ることができる。
【００２５】
（実施形態３）
【００２６】
本実施形態は、前記実施形態２のマヤ暦における月２５を示す表示窓２８と日付３１を示す表示窓３２を省略したものである。すなわち、文字盤２１の外周部２９には「１」〜「１２」の数字が付され、短針２と長針３とを有している。また、文字盤２１の左側下部寄り部分にはグレゴリオ暦の表示窓２４が設けられ、その右側にはツォルキン暦における「銀河の音」の数字記号６を表す表示窓２６と「太陽の紋章」のマーク７を表す表示窓２７が設けられている。
【００２７】
なお、前述した実施形態１〜実施形態３において、各暦等を表示する具体的な手段としては、図７に示すように、円形の表示用盤４１の中央部にギヤ部４２を一体に設けて、該ギヤ部４２に駆動源の動力が伝達されるようし、当該表示用盤４１が所定角度ずつ回動する構造とし、表示用盤４１の外周部４３に各暦等を一定間隔で描成しておき、当該表示用盤４１が所定角度ずつ回動することによって、前記表示窓に暦等が一定周期で表示されるようにすれば良い。
【００２８】
ただし、前述した構造は一例であり、すでに市販されている時計における種々の表示機構を適宜利用して暦等を表示するようにすれば良い。
【００２９】
（実施形態４）
【００３０】
本実施形態はデジタル時計の場合であり、図８に示すように、下半部５１における中央左寄り部分にはグレゴリオ暦の表示窓５２が設けられ、中央右寄り部分には時刻の表示窓５３が設けられている。一方、上半部５４における中央左寄り部分のうち、上段にはマヤ暦の月５５の表示窓５６が設けられ、下段には「銀河の音」の数字記号６を表示する表示窓５７が設けられている。一方、上半部５４における中央右寄り部分のうち、上段にはマヤ暦の日付５８を表す表示窓５９が設けられ、下段には「太陽の紋章」のマーク７を表示する表示窓５０が設けられている。
【００３１】
（実施形態５）
【００３２】
本実施形態は、図９に示すように、前記実施形態４におけるマヤ暦の月５５の表示窓５６とマヤ暦の日付５８を表す表示窓５９が省略されたものであり、その他の点は実施形態４と同様である。したがって、実施形態４と同じものについて同一の符号を付すことにより、説明を省略する。
【００３３】
なお、前記実施形態４および実施形態５に係るデジタル時計の構造は、市販のものと同様であり、その一例を示すと、図１０に示すように、デコーダー６１を中心として複数のカウンター６２、分周回路６３、表示部６４等を有する。
【産業上の利用可能性】
【００３４】
本発明の時計によれば、より自然に調和したマヤ暦を見ることができるため、マヤ暦を意識して日常生活を送りたいと望む人々と間で幅広い利用が期待できる。
【図面の簡単な説明】
【００３５】
【図１】ツォルキン暦における「銀河の音」を示す表である。
【図２】ツォルキン暦における「太陽の紋章」を示す表である。
【図３】実施形態１に係る時計の文字盤の正面図である。
【図４】実施形態１に係る時計において、カバー部材を取り付けた状態の文字盤の正面図である。
【図５】実施形態２に係る時計の文字盤の正面図である。
【図６】実施形態３に係る時計の文字盤の正面図である。。
【図７】実施形態１〜実施形態３において使用される表示用盤の正面図である。
【図８】実施形態４に係るデジタル時計の正面図である。
【図９】実施形態５に係るデジタル時計の正面図である。
【図１０】実施形態４および実施形態５に係るデジタル時計の基本構成を示す図である。
【符号の説明】
【００３６】
１  文字盤
２  短針
３  長針
４  グレゴリオ暦表示窓
５  ツォルキン暦表示窓
６  銀河の音の数字記号
７  太陽の紋章のマーク
８  太陽の紋章の名称
【図１】
2009281953.tif 000003
【図２】
2009281953.tif 000004
【図３】
2009281953.tif 000005
【図４】
2009281953.tif 000006
【図５】
2009281953.tif 000007
【図６】
2009281953.tif 000008
【図７】
2009281953.tif 000009
【図８】
2009281953.tif 000010
【図９】
2009281953.tif 000011
【図１０】
2009281953.tif 000012